【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
電子写真画像形成装置の本体に取り外し可能に装着されるプロセスカートリッジにおいて、
電子写真感光体ドラムと、
前記電子写真感光体ドラムに帯電を行う帯電ローラと、
前記帯電ローラの長手方向の一端と他端とを軸受を介して回転可能に支持しているドラム枠体であって、前記電子写真感光体ドラムの長手方向の一端を回転可能に支持しているドラム枠体と、
前記電子写真感光体ドラムの前記長手方向の他端を支持して、前記ドラム枠体の長手方向の他端に接着によって結合されているドラム軸受部材と、
前記電子写真感光体ドラムに形成された静電潜像を現像するための現像ローラと、
前記現像ローラの内部に、前記現像ローラの長手方向に移動可能に設けられたマグネットローラと、
前記マグネットローラの長手方向の一端を支持して、現像枠体の長手方向の一端に接着によって結合されている第１サイド部材と、
前記マグネットローラの前記長手方向の他端を支持して、前記現像枠体の前記長手方向の他端に接着によって結合されている第２サイド部材と、
を有することを特徴とするプロセスカートリッジ。
【請求項２】
前記ドラム枠体は、前記ドラム枠体の前記長手方向の他端から突出して設けられている位置決め突出部、第１の接合部及び第２の接合部を有し、
前記ドラム軸受部材は、前記位置決め突出部と嵌合する位置決め穴、第１の接合穴及び第２の接合穴を有し、
前記ドラム軸受部材は、前記位置決め突出部に前記位置決め穴が嵌合した状態で、前記第１の接合部と前記第１の接合穴とが樹脂接合され、前記第２の接合部と前記第２の接合穴とが樹脂接合されることによって前記ドラム枠体に結合していることを特徴とする請求項１に記載のプロセスカートリッジ。
【請求項３】
前記第１サイド部材は、前記現像ローラと平行に設けられた位置決め穴と、前記現像ローラの前記長手方向の一端側から内側へ突出して設けられている位置決め突出部、第１の接合部及び第２の接合部を有し、
前記現像枠体は、前記位置決め突出部と嵌合する位置決め穴、第１の接合穴及び第２の接合穴を有し、
前記第１サイド部材は、前記位置決め突出部が前記位置決め穴に嵌合した状態で、前記第１の接合部と前記第１の接合穴とが樹脂接合され、前記第２の接合部と前記第２の接合穴とが樹脂接合されることによって前記現像枠体に結合していることを特徴とする請求項１に記載のプロセスカートリッジ。
【請求項４】
前記第２サイド部材は、前記現像ローラと平行に設けられた位置決め穴と、前記現像ローラの前記長手方向の他端側から内側へ突出して設けられている位置決め突出部、第１の接合部及び第２の接合部を有し、
前記現像枠体は、前記位置決め突出部と嵌合する位置決め穴、第１の接合穴及び第２の接合穴を有し、
前記第２サイド部材は、前記位置決め突出部が前記位置決め穴に嵌合した状態で、前記第１の接合部と前記第１の接合穴とが樹脂接合され、前記第２の接合部と前記第２の接合穴とが樹脂接合されることによって前記現像枠体に結合していることを特徴とする請求項１に記載のプロセスカートリッジ。
【請求項５】
前記第１サイド部材は、前記位置決め突出部と前記位置決め穴とが樹脂接合されることによって、前記現像枠体に結合していることを特徴とする請求項３に記載のプロセスカートリッジ。
【請求項６】
前記第２サイド部材は、前記位置決め突出部と前記位置決め穴とが樹脂接合されることによって、前記現像枠体に結合していることを特徴とする請求項４に記載のプロセスカートリッジ。
【請求項７】
前記ドラム枠体は、前記ドラム枠体の前記長手方向の一端に内側に向かってドラム軸を設け、前記電子写真感光体ドラムの前記長手方向の一端の有する穴が前記ドラム軸と回転可能に嵌合することによって、前記ドラム枠体は、前記電子写真感光体ドラムの前記長手方向の一端を回転可能に支持していることを特徴とする請求項１乃至請求項６のいずれかの項に記載のプロセスカートリッジ。
【請求項８】
電子写真感光体ドラムと、
前記電子写真感光体ドラムに帯電を行う帯電ローラと、
前記帯電ローラの長手方向の一端と他端とを軸受を介して回転可能に支持しているドラム枠体であって、前記電子写真感光体ドラムの長手方向の一端を回転可能に支持しているドラム枠体と、
前記電子写真感光体ドラムの前記長手方向の他端を支持して、前記ドラム枠体の長手方向の他端に接着によって結合されているドラム軸受部材と、
前記電子写真感光体ドラムに形成された静電潜像を現像するための現像ローラと、
前記現像ローラの内部に、前記現像ローラの長手方向に移動可能に設けられたマグネットローラと、
前記マグネットローラの長手方向の一端を支持して、現像枠体の長手方向の一端に接着によって結合されている第１サイド部材と、
前記マグネットローラの前記長手方向の他端を支持して、前記現像枠体の前記長手方向の他端に接着によって結合されている第２サイド部材と、を有し、
電子写真画像形成装置の本体に取り外し可能に装着されるプロセスカートリッジから前記マグネットローラを取り外すマグネットローラの取り外し方法であって、
前記第１サイド部材と前記現像枠体との間に工具を挿入して、前記第１サイド部材と前記現像枠体とが分離するように力を加える第１分離工程と、
前記現像枠体の長手方向の一端と前記ドラム枠体の前記長手方向の一端を押し広げて、前記現像枠体の前記長手方向の他端と前記ドラム枠体の前記長手方向の他端とを分離する第２分離工程と、
前記現像枠体から前記現像ローラを取り外す現像ローラ取り外し工程と、
前記現像枠体から取り外した現像ローラの前記長手方向の端部に力を加えて、前記現像ローラからフランジを取り外すことによって、前記現像ローラから前記マグネットローラを取り外すマグネットローラ取り外し工程と、
を有することを特徴とするプロセスカートリッジからプロセス手段を取り外す方法。
【請求項９】
電子写真感光体ドラムと、
前記電子写真感光体ドラムに帯電を行う帯電ローラと、
前記帯電ローラの長手方向の一端と他端とを軸受を介して回転可能に支持しているドラム枠体であって、前記電子写真感光体ドラムの長手方向の一端を回転可能に支持しているドラム枠体と、
前記電子写真感光体ドラムの前記長手方向の他端を支持して、前記ドラム枠体の長手方向の他端に接着によって結合されているドラム軸受部材と、
前記電子写真感光体ドラムに形成された静電潜像を現像するための現像ローラと、
前記現像ローラの内部に、前記現像ローラの長手方向に移動可能に設けられたマグネットローラと、
前記マグネットローラの長手方向の一端を支持して、現像枠体の長手方向の一端に接着によって結合されている第１サイド部材と、
前記マグネットローラの前記長手方向の他端を支持して、前記現像枠体の前記長手方向の他端に接着によって結合されている第２サイド部材と、を有しており、
電子写真画像形成装置の本体に取り外し可能に装着されるプロセスカートリッジから前記帯電ローラを取り外す帯電ローラの取り外し方法であって、
前記第１サイド部材と前記現像枠体との間に工具を挿入して、前記第１サイド部材と前記現像枠体とが分離するように力を加える第１分離工程と、
前記現像枠体の前記長手方向の一端と前記ドラム枠体の前記長手方向の一端を押し広げて、前記現像枠体の前記長手方向の他端と前記ドラム枠体の前記長手方向の他端とを分離する第２分離工程と、
前記ドラム枠体から前記帯電ローラを取り外す帯電ローラ取り外し工程と、
を有することを特徴とするプロセスカートリッジからプロセス手段を取り外す方法。
【手続補正２】
【補正対象書類名】明細書
【補正対象項目名】００１７
【補正方法】変更
【補正の内容】
【００１７】
前記目的を達成するため、本発明に係るプロセスカートリッジの代表的な構成は、電子写真画像形成装置の本体に取り外し可能に装着されるプロセスカートリッジにおいて、電子写真感光体ドラムと、前記電子写真感光体ドラムに帯電を行う帯電ローラと、前記帯電ローラの長手方向の一端と他端とを軸受を介して回転可能に支持しているドラム枠体であって、前記電子写真感光体ドラムの長手方向の一端を回転可能に支持しているドラム枠体と、前記電子写真感光体ドラムの前記長手方向の他端を支持して、前記ドラム枠体の長手方向の他端に接着によって結合されているドラム軸受部材と、前記電子写真感光体ドラムに形成された静電潜像を現像するための現像ローラと、前記現像ローラの内部に、前記現像ローラの長手方向に移動可能に設けられたマグネットローラと、前記マグネットローラの長手方向の一端を支持して、現像枠体の長手方向の一端に接着によって結合されている第１サイド部材と、前記マグネットローラの前記長手方向の他端を支持して、前記現像枠体の前記長手方向の他端に接着によって結合されている第２サイド部材と、を有することを特徴とする。
【手続補正３】
【補正対象書類名】明細書
【補正対象項目名】００１８
【補正方法】変更
【補正の内容】
【００１８】
また、本発明に係るプロセスカートリッジからプロセス手段を取り外す方法は、電子写真感光体ドラムと、前記電子写真感光体ドラムに帯電を行う帯電ローラと、前記帯電ローラの長手方向の一端と他端とを軸受を介して回転可能に支持しているドラム枠体であって、前記電子写真感光体ドラムの長手方向の一端を回転可能に支持しているドラム枠体と、前記電子写真感光体ドラムの前記長手方向の他端を支持して、前記ドラム枠体の長手方向の他端に接着によって結合されているドラム軸受部材と、前記電子写真感光体ドラムに形成された静電潜像を現像するための現像ローラと、前記現像ローラの内部に、前記現像ローラの長手方向に移動可能に設けられたマグネットローラと、前記マグネットローラの長手方向の一端を支持して、現像枠体の長手方向の一端に接着によって結合されている第１サイド部材と、前記マグネットローラの前記長手方向の他端を支持して、前記現像枠体の前記長手方向の他端に接着によって結合されている第２サイド部材と、を有し、電子写真画像形成装置の本体に取り外し可能に装着されるプロセスカートリッジから前記マグネットローラを取り外すマグネットローラの取り外し方法であって、前記第１サイド部材と前記現像枠体との間に工具を挿入して、前記第１サイド部材と前記現像枠体とが分離するように力を加える第１分離工程と、前記現像枠体の長手方向の一端と前記ドラム枠体の前記長手方向の一端を押し広げて、前記現像枠体の前記長手方向の他端と前記ドラム枠体の前記長手方向の他端とを分離する第２分離工程と、前記現像枠体から前記現像ローラを取り外す現像ローラ取り外し工程と、前記現像枠体から取り外した現像ローラの前記長手方向の端部に力を加えて、前記現像ローラからフランジを取り外すことによって、前記現像ローラから前記マグネットローラを取り外すマグネットローラ取り外し工程と、を有することを特徴とする。
【手続補正４】
【補正対象書類名】明細書
【補正対象項目名】００１９
【補正方法】変更
【補正の内容】
【００１９】
また、電子写真感光体ドラムと、前記電子写真感光体ドラムに帯電を行う帯電ローラと、前記帯電ローラの長手方向の一端と他端とを軸受を介して回転可能に支持しているドラム枠体であって、前記電子写真感光体ドラムの長手方向の一端を回転可能に支持しているドラム枠体と、前記電子写真感光体ドラムの前記長手方向の他端を支持して、前記ドラム枠体の長手方向の他端に接着によって結合されているドラム軸受部材と、前記電子写真感光体ドラムに形成された静電潜像を現像するための現像ローラと、前記現像ローラの内部に、前記現像ローラの長手方向に移動可能に設けられたマグネットローラと、前記マグネットローラの長手方向の一端を支持して、現像枠体の長手方向の一端に接着によって結合されている第１サイド部材と、前記マグネットローラの前記長手方向の他端を支持して、前記現像枠体の前記長手方向の他端に接着によって結合されている第２サイド部材と、を有しており、電子写真画像形成装置の本体に取り外し可能に装着されるプロセスカートリッジから前記帯電ローラを取り外す帯電ローラの取り外し方法であって、前記第１サイド部材と前記現像枠体との間に工具を挿入して、前記第１サイド部材と前記現像枠体とが分離するように力を加える第１分離工程と、前記現像枠体の前記長手方向の一端と前記ドラム枠体の前記長手方向の一端を押し広げて、前記現像枠体の前記長手方向の他端と前記ドラム枠体の前記長手方向の他端とを分離する第２分離工程と、前記ドラム枠体から前記帯電ローラを取り外す帯電ローラ取り外し工程と、を有することを特徴とする。
【手続補正５】
【補正対象書類名】明細書
【補正対象項目名】００６１
【補正方法】変更
【補正の内容】
【００６１】
ドラム枠体５１の他端側には、駆動側側壁５１ｃから突出して設けられているドラム枠体側位置決め突出部５１ｆ及び駆動側側壁５１ｃから窪み形状の第１の接合穴５１ｇ１、第２の接合穴５１ｇ２さらにはＣ型の穴５１ｈがある。
【手続補正６】
【補正対象書類名】明細書
【補正対象項目名】００６２
【補正方法】変更
【補正の内容】
【００６２】
一方、ドラム軸受部材１５８にはＣ型の穴５１ｈに嵌合する円形状の軸の外周面１５８ｂ、ドラム枠体側位置決め突出部５１ｆに嵌合する長丸穴形状のドラム軸受部材側位置決め穴１５８ｃが設けられている。この２つの嵌合部を設けることによってドラム枠体５１に対してのドラム軸受部材１５８の位置決めがなされる。また、円形状の軸の内周面１５８ａでフランジ５１を回転可能に支持する。
【手続補正７】
【補正対象書類名】明細書
【補正対象項目名】００７７
【補正方法】変更
【補正の内容】
【００７７】
一方、第１サイド部材５５Ｌは、アーム部５５ａＬ、その先端に現像ローラ４１と平行に設けられた長丸形状の穴５５ｂＬ、長手一端側から内側へ突出しており、位置決め穴（第１の位置決め穴）４０ｃＬと嵌合する軸（第１の位置決め突出部）５５ｃＬ及び位置決め穴４０（第１の位置決め穴）ｄＬと嵌合する軸（第１の位置決め突出部）５５ｄＬを有している。
【手続補正８】
【補正対象書類名】明細書
【補正対象項目名】００９４
【補正方法】変更
【補正の内容】
【００９４】
第２サイド部材５５Ｒは、アーム部５５ａＲ、その先端に位置する現像ローラ４１と平行の丸形状の穴５５ｂＲ、長手他端側から内側へ突出しており、位置決め穴（第２の位置決め穴）４０ｃＲと嵌合する軸（第２の位置決め突出部）５５ｃＲ及び位置決め穴（第２の位置決め穴）４０ｄＲと嵌合する軸（第２の位置決め突出部）５５ｄＲを有している。